(57)【要約】      （修正有）【課題】本発明の目的は、取付対象物に対する取付の容易化及び取付スペースの低減をできる検出スイッチを提供する。【解決手段】検出スイッチは、ボディと、磁気センサ２００と、磁石５００と、スライダーとを備える。ボディのスリット１１０はＹ−Ｙ’方向に延び且つＸ方向側に開口している。磁気センサ２００はスリット１１０よりもＺ’方向側に、磁石５００はスリット１１０よりもＺ方向側に設けられている。スライダーの遮蔽板６１０は、スリット１１０内で第１位置Ｐ１と第２位置Ｐ２との間を移動自在である。位置Ｐ１で、遮蔽板６１０が磁気センサ２００と磁石５００との間に位置する。位置Ｐ２で、遮蔽板６１０が磁気センサ２００と磁石５００との間に位置しない。スライダーの係合部は、スリット１１０からＸ方向側に突出し、検出対象１０と係合可能である。【選択図】図３Ａ
2016113001.tif 000002
【特許請求の範囲】
【請求項１】
第１方向に延びており且つ前記第１方向に交差する第２方向の一方側に開口したスリットを有するボディと、
前記ボディの前記スリットよりも前記第１方向及び前記第２方向に交差する第３方向の一方側の部分に設けられた磁気センサと、
前記ボディの前記スリットよりも前記第３方向の他方側の部分に設けられた磁石と、
スライダーとを備えており、
前記スライダーは、前記スリット内に配置されており且つ当該スリット内の第１位置と当該スリット内の第２位置との間を前記第１方向に移動自在である遮蔽板と、
前記スリットから前記第２方向の一方側に突出し、検出対象と係合可能な係合部とを有しており、
前記第１位置は、前記遮蔽板が前記磁気センサと前記磁石との間に位置する位置であり、
前記第２位置は、前記遮蔽板が前記磁気センサと前記磁石との間に位置しない位置である検出スイッチ。
【請求項２】
第１方向に延びており且つ前記第１方向に交差する第２方向の一方側に開口したスリットを有するボディと、
前記ボディの前記スリットよりも前記第１方向及び前記第２方向に交差する第３方向の一方側の部分に設けられた磁気センサと、
スライダーとを備えており、
前記スライダーは、前記スリット内に配置されており且つ当該スリット内の第１位置と当該スリット内の第２位置との間を前記第１方向に移動自在である磁石と、
前記スリットから前記第２方向の一方側に突出し、検出対象と係合可能な係合部とを有しており、
前記第１位置は、前記磁石が前記磁気センサの前記第３方向の他方側に位置する位置であり、
前記第２位置は、前記磁石が前記第１位置よりも前記磁気センサから離れた位置である検出スイッチ。
【発明の詳細な説明】
【技術分野】
【０００１】
本発明は、検出スイッチに関する。
【背景技術】
【０００２】
従来の検出スイッチは、下記特許文献１に記載されている。この検出スイッチは、ボディと、磁石と、ホール素子とを備えている。ボディには、スリットが形成されている。磁石及びホール素子は、ボディ内の対向するように設けられている。検出対象であるＵ字状の遮蔽板がスリットに挿入され、磁石を取り囲む初期位置と、スリットから脱して磁石に対する取り囲みを解除する退避位置との間を移動自在となっている。遮蔽板が退避位置に位置したとき、ホール素子と磁石とが対向し、ホール素子の出力信号が変化するようになっている。
【先行技術文献】
【特許文献】
【０００３】
【特許文献１】特開２００１−０７１８６５号公報
【発明の概要】
【発明が解決しようとする課題】
【０００４】
遮蔽板は、初期位置と退避位置との間を移動するときに、スリットから挿脱される。このため、上記検出スイッチは、遮蔽板の移動方向において遮蔽板とスリットとの位置合わせをしながら、当該検出スイッチの取付対象物に取り付ける必要がある。これが、検出スイッチの取付対象物に対する取り付けを困難にしている。しかも、取付対象物の検出スイッチ及び遮蔽板に関する取付スペースが大きくなる。特に、遮蔽板が退避位置でスリットから脱して、検出スイッチと並ぶため、遮蔽板の移動方向の取付スペースが大きくなる。
【０００５】
本発明は、上記事情に鑑みて創案されたものであって、その目的とするところは、取付対象物に対する取付の容易化及び取付対象物の取付スペースの低減を図ることができる検出スイッチを提供することにある。
【課題を解決するための手段】
【０００６】
上記課題を解決するために、本発明の第１検出スイッチは、ボディと、磁気センサと、磁石と、スライダーとを備えている。ボディはスリットを有している。スリットは第１方向に延びており且つ第１方向に交差する第２方向の一方側に開口している。磁気センサは、ボディのスリットよりも第１方向及び第２方向に交差する第３方向の一方側の部分に設けられている。磁石は、ボディのスリットよりも第３方向の他方側の部分に設けられている。スライダーは、遮蔽板と、係合部とを有している。遮蔽板は、スリット内に配置されており且つスリット内の第１位置とスリット内の第２位置との間を第１方向に移動自在である。第１位置は、遮蔽板が磁気センサと磁石との間に位置する位置である。第２位置は、遮蔽板が磁気センサと磁石との間に位置しない位置である。係合部は、スリットから第２方向の一方側に突出し、検出対象と係合可能である。
【０００７】
このような態様の第１検出スイッチは、取付対象物に対して容易に取り付けることができ且つ取付対象物の取付スペースの低減を図ることができる。遮蔽板がボディのスリット内に配置されているため、ボディのスリットと遮蔽板とを位置合わせしつつ、第１検出スイッチを取付対象物に取り付ける必要がない。係合部は、スリットから第２方向の一方側に突出しているので、取付対象物の検出対象と容易に係合させることができる。しかも、遮蔽板がボディのスリット内に配置されているため、第１検出スイッチの第１方向の寸法が、取付対象物の取付スペースとなる。よって、第１方向における取付スペースの低減が図られる。
【０００８】
本発明の第２検出スイッチは、ボディと、磁気センサと、スライダーとを備えている。ボディは、スリットを有している。スリットは、第１方向に延びており且つ第１方向に交差する第２方向の一方側に開口している。磁気センサは、ボディのスリットよりも第１方向及び第２方向に交差する第３方向の一方側の部分に設けられている。スライダーは、磁石と、係合部とを有している。磁石は、スリット内に配置されており且つスリット内の第１位置とスリット内の第２位置との間を第１方向に移動自在である。第１位置は、磁石が磁気センサの第３方向の他方側に位置する位置である。第２位置は、磁石が第１位置よりも磁気センサから離れた位置である。係合部は、スリットから第２方向の一方側に突出し、検出対象と係合可能である。
【０００９】
このような態様の第２検出スイッチは、取付対象物に対して容易に取り付けることができ且つ取付対象物の取付スペースの低減を図ることができる。磁石がボディのスリット内に配置されているため、ボディのスリットと磁石とを位置合わせしつつ、第２検出スイッチを取付対象物に取り付ける必要がない。係合部は、スリットから第２方向の一方側に突出しているので、検出対象と容易に係合させることができる。しかも、磁石がボディのスリット内に配置されているため、第１検出スイッチの第１方向の寸法が、取付対象物の取付スペースとなる。よって、第１方向における取付スペースの低減が図られる。
【００１０】
ボディは、ガイド穴を更に有する構成とすることが可能である。ガイド穴は、スリットに連通しており且つ第３方向の一方側又は他方側に延びた構成とすることが可能である。スライダーは、ランナーを更に有する構成とすることが可能である。ランナーは、遮蔽板又は磁石に設けられており且つガイド穴に第１方向に移動自在に配置された構成とすることが可能である。
【００１１】
このような態様の第１、第２検出スイッチは、遮蔽板又は磁石がスリットから脱落するのを防止することができる。
【００１２】
係合部は、スリットから第２方向の一方側に突出した後、第３方向の一方側又は他方側に延びた略Ｌ字状とすることが可能である。係合部の先端部には、第３方向の他方側又は一方側から検出対象が係合可能な係合凹部、又は第３方向の他方側又は一方側から検出対象に係合可能な係合凸部が設けられた構成とすることが可能である。
【００１３】
このような態様の第１、第２検出スイッチは、当該検出スイッチを第３方向の他方側又は一方側から取付対象物に対して取り付けると同時に、係合部を第３方向の他方側又は一方側から検出対象に係合させることができる。
【００１４】
ボディは、支持台を更に有する構成とすることが可能である。支持台は、ボディのスリットよりも第３方向の他方側の部分に設けられており且つ第２方向の一方側に延びた構成とすることが可能である。係合部が支持台に第１方向に移動自在に支持された構成とすることが可能である。
【図面の簡単な説明】
【００１５】
【図１Ａ】本発明の実施例１に係る検出スイッチの正面図である。
【図１Ｂ】前記検出スイッチの背面図である。
【図１Ｃ】前記検出スイッチの平面図である。
【図１Ｄ】前記検出スイッチの右側面図である。
【図１Ｅ】前記検出スイッチの左側面図である。
【図２】前記検出スイッチの分解斜視図である。
【図３Ａ】前記検出スイッチの正面図であって、スライダーの移動を説明するための説明図である。
【図３Ｂ】前記検出スイッチの平面図であって、スライダーの移動を説明するための説明図である。
【図４Ａ】本発明の実施例２に係る検出スイッチの正面図であって、スライダーの移動を説明するための説明図である。
【図４Ｂ】前記検出スイッチの平面図であって、スライダーの移動を説明するための説明図である。
【発明を実施するための形態】
【００１６】
以下、本発明の実施例１及び２について説明する。
【実施例１】
【００１７】
本発明の実施例１に係る検出スイッチＳ１について図１Ａ〜図３Ｂを参照しつつ説明する。検出スイッチＳ１は、ボディ１００と、磁気センサ２００と、基板３００と、一対のケーブル４００と、磁石５００と、スライダー６００とを備えている。以下、検出スイッチＳ１の各構成要素について詳しく説明する。なお、図１Ａ〜図１Ｃ及び図２に示すＹ−Ｙ’方向は、検出スイッチＳ１の長手方向であって、特許請求の範囲の第１方向に相当する。図１Ｄ、図１Ｅ及び図２に示すＸ−Ｘ’方向は、検出スイッチＳ１の短手方向であって、特許請求の範囲の第２方向に相当する。Ｘ−Ｘ’方向は、Ｙ−Ｙ’方向に直角に交差している。Ｘ方向は特許請求の範囲の第２方向の一方側に相当する。図１Ａ、図１Ｂ、図１Ｄ、図１Ｅ及び図２に示すＺ−Ｚ’方向は、検出スイッチＳ１の厚み方向であって、特許請求の範囲の第３方向に相当する。Ｚ’方向が特許請求の範囲の第３方向の一方側、Ｚ方向が特許請求の範囲の第３方向の他方側に相当する。Ｚ−Ｚ’方向は、Ｙ−Ｙ’方向及びＸ−Ｘ’方向に直角に交差している。
【００１８】
ボディ１００は、絶縁樹脂で構成されている。ボディ１００は、略矩形状である。ボディ１００は、Ｙ方向側の端面と、Ｙ’方向側の端面と、Ｘ方向側の端面と、Ｘ’方向側の端面と、Ｚ方向側の端面と、Ｚ’方向側の端面と、スリット１１０と、ガイド穴１２０と、第１収容部１３０と、第２収容部１４０と、支持台１５０とを更に有している。
【００１９】
スリット１１０は、ボディ１００に設けられ且つＹ−Ｙ’方向に延びた平板状の穴である。スリット１１０は、ボディ１００のＹ方向側の端面に開口し且つボディ１００のＸ方向側の端面に開口している。スリット１１０のＺ方向の内面には、一対の突部１１１がＸ−Ｘ’方向に間隔をあけて設けられている。スリット１１０のＺ’方向の内面にも、一対の突部１１１がＸ−Ｘ’方向に間隔をあけて設けられている。突部１１１はＹ−Ｙ’方向に延びている。なお、複数の突部が、Ｙ−Ｙ’方向に間隔をあけて設けられていても良い。
【００２０】
ガイド穴１２０は、スリット１１０のＸ’方向の端部からＺ方向に延びており且つＹ−Ｙ’方向に延びている。ガイド穴１２０は、スリット１１０に連通している。ガイド穴１２０は、ボディ１００のＹ方向側の端面に開口している。
【００２１】
支持台１５０は、ボディ１００のＸ方向側の端面のスリット１１０よりもＺ’方向側の部分に設けられ、Ｘ方向に突出した略矩形状のステージである。
【００２２】
第１収容部１３０は、ボディ１００のスリット１１０よりもＺ方向側の部分に設けられている。第１収容部１３０は、ボディ１００のＸ方向側の端面に開口した穴である。第１収容部１３０の形は、磁石５００の外形に対応している。第２収容部１４０は、ボディ１００のスリット１１０よりもＺ’方向側の部分に設けられている。第２収容部１４０は、ボディ１００のＹ’方向側の端面に開口した穴である。第２収容部１４０のＸ−Ｘ’方向の寸法は、基板３００のＸ−Ｘ’方向の寸法と略同じ又は若干大きい。第２収容部１４０のＺ−Ｚ’方向の寸法は、基板３００のＺ−Ｚ’方向の寸法及び磁気センサ２００のＺ−Ｚ’方向の寸法の和よりも大きい。
【００２３】
磁石５００は、ボディ１００の第１収容部１３０に収容され、ボディ１００のスリット１１０よりもＺ方向側に配置されている。
【００２４】
磁気センサ２００は、基板３００上に実装されたホールＩＣである。磁気センサ２００と磁石５００によって磁気回路が構成されている。基板３００上には、ツェナダイオードやコンデンサ等も実装されている。基板３００のＹ’方向の端部にはケーブル４００が接続されている。磁気センサ２００の出力信号がケーブル４００を通じて外部出力される。基板３００及び磁気センサ２００が第２収容部１４０に収容され、ボディ１００のスリット１１０よりもＺ’方向側に配置されている。磁気センサ２００は、磁石５００のＺ’方向側に位置している。
【００２５】
スライダー６００は、金属板で構成されている。スライダー６００は、遮蔽板６１０（スライダー本体）と、複数のランナー６２０と、係合部６３０とを有している。遮蔽板６１０は、略矩形状の金属板であって、ボディ１００のスリット１１０内に配置されており且つスリット１１０内の第１位置Ｐ１とスリット１１０内の第２位置Ｐ２との間をＹ−Ｙ’方向に移動自在になっている。より具体的には、遮蔽板６１０は、スリット１１０の突部１１１上をＹ−Ｙ’方向にスライド自在となっている。そのため、遮蔽板６１０のＸ−Ｘ’方向の寸法はスリット１１０のＸ−Ｘ’方向の寸法と略同じ又は若干大きい。遮蔽板６１０のＺ−Ｚ’方向の寸法はスリット１１０のＺ−Ｚ’方向の寸法（Ｚ−Ｚ’方向における突部１１１間の寸法）と略同じ又は若干大きい。
【００２６】
なお、第１位置Ｐ１は、図３Ａ及び図３Ｂの下の図に示されているように、スリット１１０内で遮蔽板６１０が磁石５００と磁気センサ２００との間に位置し、磁石５００によって生じる磁界を磁気センサ２００に対して遮蔽（遮断）する位置である。第２位置Ｐ２は、図３Ａ及び図３Ｂの上の図に示されているように、スリット１１０内で遮蔽板６１０が磁石５００と磁気センサ２００との間に位置せず、磁石５００によって生じる磁界が磁気センサ２００によってセンシングされる位置である。スリット１１０内の第３位置Ｐ３は、図３Ａ及び図３Ｂの中間の図に示されているように、第１位置Ｐ１と第２位置Ｐ２との間の位置である。第３位置Ｐ３は、遮蔽板６１０のＹ’側の端部が磁石５００と磁気センサ２００との間に位置し、磁石５００によって生じる磁界を磁気センサ２００に対して遮蔽又は当該遮断から解除する切替位置である。第１位置Ｐ１及び第２位置Ｐ２の何れか一方を初期位置とし、他方を移動位置とすることが可能である。
【００２７】
ランナー６２０は、遮蔽板６１０のＸ’方向側の端にＹ−Ｙ’方向に間隔をあけて連接されており、且つ当該遮蔽板６１０のＸ’方向側の端から、Ｚ方向側に延びた矩形状の突起である。ランナー６２０がボディ１００のガイド穴１２０内に配置され、遮蔽板６１０の移動に応じてＹ−Ｙ’方向に移動自在になっている。ランナー６２０がガイド穴１２０内に配置されることによって、遮蔽板６１０がスリット１１０からＸ方向に脱落することが防止される。
【００２８】
係合部６３０は、遮蔽板６１０のＸ方向の端に連接され且つボディ１００のスリット１１０からＸ方向に突出した略Ｌ字状の板である。係合部６３０は、遮蔽板６１０のＸ方向の端からＸ方向に延びた後、Ｚ方向に延びている。係合部６３０は、基端部と、先端部とを有している。係合部６３０の基端部は、ボディ１００の支持台１５０上にＹ−Ｙ’方向に移動自在に支持されている。係合部６３０の先端部には、Ｚ方向に開口した係合凹部６３１が設けられている。係合凹部６３１に棒状の検出対象１０が係合可能となっている。係合凹部６３１に係合された検出対象１０がＹ−Ｙ’方向に移動することによって、スライダー６００が第１位置Ｐ１と第２位置Ｐ２との間のみをＹ−Ｙ’方向に移動自在となっている。
【００２９】
以下、検出スイッチＳ１の組み立て手順について詳しく説明する。磁石５００及びボディ１００を用意する。ボディ１００の第１収容部１３０にＸ方向側から磁石５００を挿入し、磁石５００をボディ１００に保持させる。その後、磁気センサ２００等が実装された基板３００を用意する。基板３００をボディ１００の第２収容部１４０にＹ’方向側から挿入し、磁気センサ２００及び基板３００をボディ１００に保持させる。その後、スライダー６００を用意する。スライダー６００の遮蔽板６１０をボディ１００のスリット１１０にＹ方向側から挿入すると共に、スライダー６００のランナー６２０を順次ボディ１００のガイド穴１２０にＹ方向側から挿入する。これにより、遮蔽板６１０がボディ１００のスリット１１０内にＹ−Ｙ’方向に移動自在に収容される。ランナー６２０がボディ１００のガイド穴１２０内にＹ−Ｙ’方向に移動自在に収容される。係合部６３０がスリット１１０からＸ方向に突出すると共に、ボディ１００の支持台１５０上にＹ−Ｙ’方向に移動自在に支持される。このようにして検出スイッチＳ１が組み立てられる。
【００３０】
以下、検出スイッチＳ１を取付対象物に取り付ける手順について詳しく説明する。ここでは、取付対象物は、自動車等のシートベルトのバックルであるとする。検出対象１０は、シートベルトのトングがバックル内に挿脱されたときに、Ｙ−Ｙ’方向に移動するバックル内の移動部に設けられた連結部であるとする。
【００３１】
検出スイッチＳ１のボディ１００のＺ方向の端面をバックルの筐体に向ける。この状態で、ボディ１００を筐体内の取付スペースにＺ−Ｚ’方向に沿って取り付けると共に、バックルの連結部が係合部６３０の係合凹部６３１にＺ方向側から係合させる。このようにして検出スイッチＳ１が取付対象物に取り付けられる。
【００３２】
以下、検出スイッチＳ１によって検出対象１０の位置を検出する方法について詳しく説明する。ここでも、取付対象物は及び検出対象１０は上記の通りであるとする。まず、スライダー６００の遮蔽板６１０の初期位置が第２位置Ｐ２である場合の検出スイッチＳ１によって検出対象１０の位置を検出する方法について説明する。
【００３３】
シートベルトのトングがバックル内に挿入されると、バックル内の移動部が初期位置からトングがバックルに係合される係合位置にかけてＹ’方向に移動する。これに伴って、連結部も初期位置から係合位置にかけてＹ’方向に移動する。
【００３４】
連結部のＹ’方向の移動に応じて係合部６３０が支持台１５０上をＹ’方向に移動する。これにより、ランナー６２０がガイド穴１２０内をＹ’方向に移動すると共に、遮蔽板６１０が第２位置Ｐ２から第３位置Ｐ３を経由して第１位置Ｐ１へ移動する。遮蔽板６１０が第３位置Ｐ３に位置すると、遮蔽板６１０は、磁石５００と磁気センサ２００との間に位置する。よって、磁石５００の磁界が遮蔽板６１０によって遮断され、磁気センサ２００の出力信号が初期状態から変化する。第１位置Ｐ１に位置した遮蔽板６１０も磁石５００と磁気センサ２００との間に位置している。よって、磁石５００の磁界が遮蔽板６１０によって遮断され、磁気センサ２００の出力信号の変化した状態が維持される。変化した出力信号がケーブル４００に接続された制御部に入力されると、制御部は、連結部が係合位置に位置し、トングがバックルに係合されたと判断する。
【００３５】
トングがバックルから抜かれると、移動部がバックル内のスプリングによって係合位置から初期位置にかけてＹ方向に移動する。これに伴って、連結部も係合位置から初期位置にかけてＹ方向に移動する。
【００３６】
連結部のＹ方向の移動に応じて係合部６３０が支持台１５０上をＹ方向に移動する。これにより、ランナー６２０がガイド穴１２０内をＹ方向に移動すると共に、遮蔽板６１０が第１位置Ｐ１から第３位置Ｐ３を経由して第２位置Ｐ２へ移動する。遮蔽板６１０が第３位置Ｐ３に位置すると、遮蔽板６１０は、磁石５００と磁気センサ２００との間から脱する。よって、遮蔽板６１０による磁石５００の磁界の遮断が解除され、磁気センサ２００の変化した出力信号が初期状態に戻る。第２位置Ｐ２に位置した遮蔽板６１０も磁石５００と磁気センサ２００との間に位置しない。よって、磁気センサ２００の出力信号の初期状態が維持される。初期状態の出力信号がケーブル４００に接続された制御部に入力されると、制御部は、連結部が初期位置に位置し、トングがバックルから抜かれたと判断する。
【００３７】
次に、スライダー６００の遮蔽板６１０の初期位置が第１位置Ｐ１である場合の検出スイッチＳ１によって検出対象１０の位置を検出する方法について説明する。
【００３８】
上記の通り、シートベルトのトングがバックル内に挿入され、連結部が初期位置から係合位置にかけてＹ方向に移動する。このとき、係合部６３０が支持台１５０上をＹ方向に移動する。これにより、ランナー６２０がガイド穴１２０内をＹ方向に移動すると共に、遮蔽板６１０が第１位置Ｐ１から第３位置Ｐ３を経由して第２位置Ｐ２へ移動する。遮蔽板６１０が第３位置Ｐ３に位置すると、遮蔽板６１０は、磁石５００と磁気センサ２００との間から脱する。よって、遮蔽板６１０による磁石５００の磁界の遮断が解除され、磁気センサ２００の出力信号が初期状態から変化する。第２位置Ｐ２に位置した遮蔽板６１０も磁石５００と磁気センサ２００との間に位置していない。よって、磁気センサ２００の出力信号の変化した状態が維持される。変化した出力信号がケーブル４００に接続された制御部に入力されると、制御部は、連結部が係合位置に位置し、トングがバックルに係合されたと判断する。
【００３９】
トングがバックルから抜かれ、連結部が係合位置から初期位置にかけてＹ’方向に移動する。
【００４０】
連結部のＹ’方向の移動に応じて係合部６３０が支持台１５０上をＹ’方向に移動する。これにより、ランナー６２０がガイド穴１２０内をＹ’方向に移動すると共に、遮蔽板６１０が第２位置Ｐ２から第３位置Ｐ３を経由して第１位置Ｐ１へ移動する。遮蔽板６１０が第３位置Ｐ３に位置すると、遮蔽板６１０は、磁石５００と磁気センサ２００との間に位置する。よって、磁石５００の磁界が遮蔽板６１０によって遮断され、磁気センサ２００の変化した出力信号が初期状態に戻る。第１位置Ｐ１に位置した遮蔽板６１０も磁石５００と磁気センサ２００との間に位置する。よって、磁石５００の磁界が遮蔽板６１０によって遮断され、磁気センサ２００の出力信号の初期状態が維持される。初期状態の出力信号がケーブル４００に接続された制御部に入力されると、制御部は、連結部が初期位置に位置し、トングがバックルから抜かれたと判断する。
【００４１】
以上のような検出スイッチＳ１は以下の技術的特徴を有する。第１に、検出スイッチＳ１は取付対象物に容易に取り付けることができる。遮蔽板６１０がボディ１００のスリット１１０内に配置されているため、ボディ１００のスリット１１０と遮蔽板６１０とを位置合わせしつつ、検出スイッチＳ１を取付対象物に取り付ける必要がない。係合部６３０は、スリット１１０からＸ方向側に突出し且つＺ方向に延びている。よって、ボディ１００のＺ方向の端面を取付対象物に向けた状態で、ボディ１００を筐体内の取付スペースに取り付けると共に、スライダー６００の係合部６３０にＺ方向側から検出対象１０を係合させることができる。
【００４２】
第２に、検出スイッチＳ１は取付対象物の取付スペースの低減を図ることができる。遮蔽板６１０がボディ１００のスリット１１０内に配置されているため、検出スイッチＳ１のＹ−Ｙ’方向の寸法が、取付対象物の取付スペースとなる。よって、Ｙ−Ｙ’方向における取付スペースの低減を図ることができる。
【００４３】
第３に、係合部６３０のＹ−Ｙ’方向の移動が安定する。係合部６３０が支持台１５０にＹ−Ｙ’方向に移動自在に支持されているからである。
【００４４】
第４に、スライダー６００を、遮蔽板６１０とＹ−Ｙ’方向の寸法が異なる遮蔽板を有するスライダーに交換するだけで、遮蔽板が第３位置Ｐ３に位置し、磁気センサ２００の出力信号が変化するタイミングを容易に変更することができる。
【００４５】
第５に、磁気センサ２００の出力信号が変化するタイミングの精度を向上させることができる。その理由は以下の通りである。従来の検出スイッチのように、遮蔽板がボディのスリットから挿脱される場合、挿脱がスムーズに行われるように、スリットの大きさを遮蔽板の外形よりも大きくする。このため、遮蔽板のスリット内の移動が不安定になり、磁気センサの出力信号が変化するタイミングの精度が低下する。これに対して、検出スイッチＳ１は、遮蔽板６１０がボディ１００のスリット１１０内に配置されている。よって、遮蔽板６１０のＸ−Ｘ’方向の寸法をスリット１１０のＸ−Ｘ’方向の寸法と略同じ又は若干大きくし、且つ遮蔽板６１０のＺ−Ｚ’方向の寸法をスリット１１０のＺ−Ｚ’方向の寸法と略同じ又は若干大きくすることができる。このような寸法関係によって、遮蔽板６１０のスリット１１０内のＹ−Ｙ’方向の移動が安定し、磁気センサ２００の出力信号が変化するタイミングの精度を向上させることができる。
【実施例２】
【００４６】
以下、本発明の実施例２に係る検出スイッチＳ２について図４Ａ及び図４Ｂを参照しつつ説明する。検出スイッチＳ２は、次の相違点で相違する以外、検出スイッチＳ１と略同じ構成である。第１相違点は、磁石５００が省略されていることである。第２相違点は、第１収容部１３０が省略されていることである。第３相違点は、スライダー６００’の構成が検出スイッチＳ１のスライダー６００の構成と相違していることである。以下、その相違点についてのみ詳しく説明し、検出スイッチＳ２の検出スイッチＳ１と重複する説明は省略する。検出スイッチＳ２のスライダー及びそのサブエレメントについては、符号に’を付して検出スイッチＳ１のスライダー６００及びそのサブエレメントと区別する。なお、実施例１と同様に、図４Ａ及び図４ＢにＹ−Ｙ’方向が、図４ＡにＺ−Ｚ’方向が、図４ＢにＸ−Ｘ’方向が示されている。
【００４７】
スライダー６００’は、スライダー本体６１０’と、複数のランナー６２０’と、係合部６３０’とを有している。スライダー本体６１０’は、略矩形状の板であって、磁石６１１’が設けられている以外、検出スイッチＳ１の遮蔽板６１０と略同じ構成である。スライダー本体６１０’も、ボディ１００のスリット１１０内に配置されており且つスリット１１０内の第１位置Ｐ１’とスリット１１０内の第２位置Ｐ２’との間のみをＹ−Ｙ’方向に移動自在になっている。
【００４８】
なお、第１位置Ｐ１’は、図４Ａ及び図４Ｂの下の図に示されているように、スリット１１０内でスライダー本体６１０’の磁石６１１’が磁気センサ２００のＺ’方向に位置する位置である。第２位置Ｐ２’は、図４Ａ及び図４Ｂの上の図に示されているように、スリット１１０内でスライダー本体６１０’の磁石６１１’が第１位置Ｐ１’よりも磁気センサ２００から離れた位置である。第１位置Ｐ１’及び第２位置Ｐ２’の何れか一方を初期位置とし、他方を移動位置とすることが可能である。
【００４９】
ランナー６２０’は、検出スイッチＳ１のランナー６２０と略同じ構成である。係合部６３０’は、検出スイッチＳ１の係合部６３０’と略同じ構成である。なお、図４Ａ及び図４Ｂ中の６３１’は、係合部の係合凹部である。
【００５０】
検出スイッチＳ２の組み立て手順は、検出スイッチＳ１の磁石５００をボディ１００に取り付ける手順が省略される以外、検出スイッチＳ１の組み立て手順と同じであるため、省略する。検出スイッチＳ２を取付対象物に取り付ける手順は、検出スイッチＳ１を取付対象物に取り付ける手順と同じであるため、省略する。
【００５１】
以下、検出スイッチＳ２によって検出対象１０の位置を検出する方法について詳しく説明する。ここでは、取付対象物は、自動車等のシートベルトのバックルであるとする。検出対象１０は、シートベルトのトングがバックル内に挿脱されたときに、Ｙ−Ｙ’方向に移動するバックル内の移動部に設けられた連結部であるとする。
【００５２】
まず、スライダー６００’のスライダー本体６１０’の初期位置が第２位置Ｐ２’である場合の検出スイッチＳ２によって検出対象１０の位置を検出する方法について説明する。
【００５３】
シートベルトのトングがバックル内に挿入されると、バックル内の移動部が初期位置からトングがバックルに係合される係合位置にかけてＹ’方向に移動する。これに伴って、連結部も初期位置から係合位置にかけてＹ’方向に移動する。
【００５４】
連結部のＹ’方向の移動に応じて係合部６３０’が支持台１５０上をＹ’方向に移動する。これにより、ランナー６２０’がガイド穴１２０内をＹ’方向に移動すると共に、スライダー本体６１０’が第２位置Ｐ２’から第１位置Ｐ１’へ移動する。この移動に伴って、スライダー本体６１０’の磁石６１１’が磁気センサ２００に接近する。磁石６１１’は第１位置Ｐ１’で磁気センサ２００に最も接近する。この磁石６１１’の接近によって、磁気センサ２００の出力信号が変化する。この出力信号に基づいて、ケーブル４００に接続された制御部は、連結部が係合位置に位置し、トングがバックルに係合されたと判断する。
【００５５】
トングがバックルから抜かれると、移動部がバックル内のスプリング等によって係合位置から初期位置にかけてＹ方向に移動する。これに伴って、連結部も係合位置から初期位置にかけてＹ方向に移動する。
【００５６】
連結部のＹ方向の移動に応じて係合部６３０’が支持台１５０上をＹ方向に移動する。これにより、ランナー６２０’がガイド穴１２０内をＹ方向に移動すると共に、スライダー本体６１０’が第１位置Ｐ１’から第２位置Ｐ２’へ移動する。この移動に伴って、スライダー本体６１０’の磁石６１１’が磁気センサ２００から離反する。磁石６１１’は第２位置Ｐ２’で磁気センサ２００から最も離れる。この磁石６１１’の離反によって、磁気センサ２００の出力信号が変化する。この出力信号に基づいて、ケーブル４００に接続された制御部は、連結部が初期位置に位置し、トングがバックルから抜かれたと判断する。
【００５７】
次に、スライダー６００のスライダー本体６１０’の初期位置が第１位置Ｐ１’である場合の検出スイッチＳ２によって検出対象１０の位置を検出する方法について説明する。
【００５８】
上記の通り、シートベルトのトングがバックル内に挿入され、連結部が初期位置から係合位置にかけてＹ方向に移動する。このとき、係合部６３０’が支持台１５０上をＹ方向に移動する。これにより、ランナー６２０’がガイド穴１２０内をＹ方向に移動すると共に、スライダー本体６１０’が第１位置Ｐ１’から第２位置Ｐ２’へ移動する。この移動に伴って、スライダー本体６１０’の磁石６１１’が磁気センサ２００から離反する。磁石６１１’は第２位置Ｐ２’で磁気センサ２００から最も離れる。この磁石６１１’の離反によって、磁気センサ２００の出力信号が変化する。この出力信号に基づいて、ケーブル４００に接続された制御部は、連結部が係合位置に位置し、トングがバックルに係合されたと判断する。
【００５９】
トングがバックルから抜かれ、連結部が係合位置から初期位置にかけてＹ’方向に移動する。
【００６０】
連結部のＹ’方向の移動に応じて係合部６３０が支持台１５０上をＹ’方向に移動する。これにより、ランナー６２０’がガイド穴１２０内をＹ’方向に移動すると共に、スライダー本体６１０’が第２位置Ｐ２’から第１位置Ｐ１’へ移動する。この移動に伴って、スライダー本体６１０’の磁石６１１’が磁気センサ２００に接近する。磁石６１１’は第１位置Ｐ１’で磁気センサ２００に最も接近する。この磁石６１１’の接近によって、磁気センサ２００の出力信号が変化する。この出力信号に基づいて、ケーブル４００に接続された制御部は、連結部が初期位置に位置し、トングがバックルから抜かれたと判断する。
【００６１】
以上のような検出スイッチＳ２は以下の技術的特徴を有する。第１に、検出スイッチＳ１は取付対象物に容易に取り付けることができる。スライダー本体６１０’（磁石６１１’を含む。）がボディ１００のスリット１１０内に配置されているため、ボディ１００のスリット１１０とスライダー本体６１０’とを位置合わせしつつ、検出スイッチＳ２を取付対象物に取り付ける必要がない。係合部６３０’は、スリット１１０からＸ方向側に突出し且つＺ方向に延びている。よって、ボディ１００のＺ方向の端面を取付対象物に向けた状態で、ボディ１００を筐体内の取付スペースに取り付けると共に、スライダー６００’の係合部６３０’にＺ方向側から検出対象１０を係合させることができる。
【００６２】
第２に、検出スイッチＳ２は取付対象物の取付スペースの低減を図ることができる。スライダー本体６１０’がボディ１００のスリット１１０内に配置されているため、検出スイッチＳ２のＹ−Ｙ’方向の寸法が、取付対象物の取付スペースとなる。よって、Ｙ−Ｙ’方向における取付スペースの低減を図ることができる。
【００６３】
第３に、係合部６３０’のＹ−Ｙ’方向の移動が安定する。係合部６３０’が支持台１５０にＹ−Ｙ’方向に移動自在に支持されているからである。
【００６４】
なお、上記した検出スイッチは、上記実施例に限定されるものではなく、特許請求の範囲の記載範囲において任意に設計変更することが可能である。以下、詳しく述べる。
【００６５】
本発明のボディは、第１方向に延びており且つ前記第１方向に交差する第２方向の一方側に開口したスリットを有する限り任意に設計変更することが可能である。よって、スリットの突部は省略可能である。また、上記実施例及び後述する設計変形例のスライダー本体がスリットの突部上をスライド自在とすることも可能である。
【００６６】
本発明のボディは、ガイド穴、第１収容部及び／又は第２収容部を省略することが可能である。本発明のボディのガイド穴は、スリットに連通しており且つ第１方向及び第２方向に交差する第３方向の一方側又は他方側に延びている限り任意に設計変更することが可能である。本発明のボディの第２収容部は、ボディのスリットよりも第３方向の一方側の部分に設けられており且つ磁気センサが収容され得る限り任意に設計変更することが可能である。第２収容部は、ボディの第３方向の一方側の端面、第２方向の一方側の端面又は第２方向の他方側の端面に開口した穴であっても良い。上記実施例及び設計変形例の第２収容部は、磁気センサを収容した後、蓋などで閉塞される構成としても良い。本発明のボディの第１収容部は、ボディのスリットよりも第３方向の他方側の部分に設けられており且つ磁石が収容され得る限り任意に設計変更することが可能である。第１収容部は、ボディの第３方向の他方側の端面、第１方向の一方側の端面又は第１方向の他方側の端面に開口していても良い。上記実施例及び設計変形例の第１収容部は、磁石を収容した後、蓋などで閉塞される構成としても良い。
【００６７】
本発明の磁気センサは、上記実施例及び設計変形例のボディのスリットよりも第３方向の一方側の部分に設けられており、且つ上記実施例及び後述する設計変形例の磁石又はスライダーの磁石を検出し得るものである限り任意に設計変更することが可能である。例えば、磁気センサとして、コイルや磁気抵抗素子等を用いることが可能である。上記実施例及び設計変形例の磁気センサは、第２収容部が省略される場合、ボディのスリットよりも第３方向の一方側の部分にインサート成形等によって埋め込まれるようにすると良い。
【００６８】
本発明の磁石は、上記実施例及び設計変形例のボディのスリットよりも第３方向の他方側の部分に設けられており且つ上記実施例及び設計変形例の磁気センサと共に磁気回路を構成するようになっていると良い。上記実施例及び設計変形例の磁石は、第１収容部が省略される場合、ボディのスリットよりも第３方向の他方側の部分にインサート成形等によって埋め込まれるようにすると良い。
【００６９】
本発明のスライダーは、上記実施例及び設計変形例のボディのスリット内に配置されており且つ当該スリット内の第１位置と当該スリット内の第２位置との間を第１方向に移動自在である遮蔽板と、スリットから第２方向の一方側に突出し、検出対象と係合可能な係合部とを有する構成とすることが可能である。第１位置は、遮蔽板が磁気センサと磁石との間に位置する位置であれば良い。第２位置は、遮蔽板が磁気センサと前記磁石との間に位置しない位置であれば良い。
【００７０】
又は、本発明のスライダーは、上記実施例及び設計変形例のボディのスリット内に配置されており且つ第１位置と当該スリット内の第２位置との間を前記第１方向に移動自在である磁石と、スリットから第２方向の一方側に突出し、検出対象と係合可能な係合部とを有する構成とすることが可能である。第１位置は、スライダーの磁石が磁気センサの第３方向の他方側に位置する位置であれば良い。第２位置は、スライダーの磁石が第１位置よりも磁気センサから離れた位置であれば良い。上記実施例及び設計変形例のスライダーの磁石が、スライダー本体である構成とすることが可能である。この場合、上記遮蔽板は省略される。
【００７１】
本発明のスライダーの係合部は、上記実施例及び設計変形例の遮蔽板、磁石、又はスライダー本体に設けられており、且つ上記実施例及び設計変形例のスリットから第２方向の一方側に突出した板状や棒状等とすることが可能である。本発明のスライダーの係合部は、上記実施例及び設計変形例の遮蔽板、磁石、又はスライダー本体に設けられており且つ上記実施例及び設計変形例のスリットから第２方向の一方側に突出した後、第３方向の一方側又は他方側に延びた略Ｌ字状することが可能である。上記実施例及び設計変形例の係合部の先端部には、検出対象が係合可能な係合凹部又は係合凸部が設けられていると良い。係合部が前述のとおり略Ｌ字状である場合、係合部の先端部には、第３方向の他方側又は一方側から検出対象が係合可能な係合凹部、又は第３方向の他方側又は一方側から検出対象に係合可能な係合凸部が設けられていると良い。係合部の先端部には、上記以外の係合部を設けることが可能である。
【００７２】
本発明のスライダーのランナーは、少なくとも一つあれば良い。本発明のランナーは、上記実施例及び設計変形例の遮蔽板、磁石又はスライダー本体に設けられており、且つ上記実施例及び設計変形例のボディのガイド穴に第１方向に移動自在に配置されている限り任意に設計変更することが可能である。
【００７３】
なお、上記実施例及び設計変形例における検出スイッチの各構成要素を構成する素材、形状、寸法、数及び配置等はその一例を説明したものであって、同様の機能を実現し得る限り任意に設計変更することが可能である。上記実施例及び設計変更例は、互いに矛盾しない限り、相互に組み合わせることが可能である。本発明の第１方向は、スライダーの移動方向である限り任意に設定することができる。本発明の第２方向は、第１方向に交差している限り任意に設定可能である。本発明の第３方向は、第１、第２方向に交差している限り任意に設定可能である。
【符号の説明】
【００７４】
Ｓ１・・・・・・検出スイッチ
１００・・・・ボディ
１１０・・・スリット
１２０・・・ガイド穴
１３０・・・第１収容部
１４０・・・第２収容部
１５０・・・支持台
２００・・・・磁気センサ
３００・・・・基板
４００・・・・ケーブル
５００・・・・磁石
６００・・・・スライダー
６１０・・・遮蔽板
６２０・・・ランナー
６３０・・・係合部
６３１・・係合凹部
Ｐ１・・・・・・第１位置
Ｐ２・・・・・・第２位置
Ｐ３・・・・・・第３位置
Ｓ２・・・・・・検出スイッチ
６００’・・・スライダー
６１０’・・スライダー本体
６１１’・磁石
６２０’・・ランナー
６３０’・・係合部
６３１’・係合凹部
Ｐ１’・・・・・第１位置
Ｐ２’・・・・・第２位置
Ｐ３’・・・・・第３位置
１０・・・・・・検出対象
【図１Ａ】
2016113001.tif 000003
【図１Ｂ】
2016113001.tif 000004
【図１Ｃ】
2016113001.tif 000005
【図１Ｄ】
2016113001.tif 000006
【図１Ｅ】
2016113001.tif 000007
【図２】
2016113001.tif 000008
【図３Ａ】
2016113001.tif 000009
【図３Ｂ】
2016113001.tif 000010
【図４Ａ】
2016113001.tif 000011
【図４Ｂ】
2016113001.tif 000012